(57)【要約】【課題】インターネットを通じてコミュニケーションをとっている相手と音楽データ、コンテンツを共有利用する。【解決手段】サイト管理用サーバに、音楽配信用サーバからコンピュータ（ＰＣ）へ送信する送信音声データの内、送信対象ＰＣからの受信音声データ、及び、画像配信用サーバからＰＣへ送信する送信画像データの内、送信対象ＰＣからの受信画像データを排除して送信する。また、コンテンツサーバからの画像データと音声データを、音楽配信用サーバ、画像配信用サーバを通して各ＰＣに送信することにより、コミュニケーションサイト上にコンテンツサーバ上の架空の人物がＰＣで形成しているグループに参加しているかのように振る舞う。【選択図】図４
2008292875.tif 000002
【特許請求の範囲】
【請求項１】
複数のコンピュータが、インターネットを介してサーバ群に接続される音楽コミュニケーションシステムであって、
前記サーバ群は、音楽配信用サーバ、画像配信用サーバ、およびサイト管理用サーバを有し、
前記各コンピュータは、画像撮影用のカメラと、
音声集音用のマイクと、
前記画像撮影用カメラで撮影した画像データを前記サイト管理用サーバに送信する送信手段１と、
前記音声集音用マイクで集音した音声データを前記サイト管理用サーバに送信する送信手段２と、
前記サイト管理用サーバから送信された音声データを受信する受信手段１と、
前記サイト管理用サーバから送信された画像データを受信する受信手段２と、
前記サイト管理用サーバから送信された音声データを再生する音声出力手段と、
前記サイト管理用サーバから送信された画像データを表示する画像データ出力表示手段とを有し、
前記音楽配信用サーバは、音楽データを記憶する音楽データ記憶部と、
前記サイト管理用サーバから送信された前記各コンピュータの前記音声集音用マイクで集音された音声データを受信する受信手段と、
前記音楽データを再生しているコンピュータの前記音声集音用マイクで集音した音声データと前記音楽データとを同期を取って合成する第１合成手段と、
前記第１合成手段で合成された音声データと、前記音楽データを再生しているコンピュータ以外のコンピュータの前記音声集音用マイクで集音した音声データとを個別認識可能な形式で合成する第２合成手段と、
前記音楽データと、前記第２合成手段で合成された音声データとを前記サイト管理用サーバに送信する送信手段とを有し、
前記画像配信用サーバは、前記サイト管理用サーバから送信された前記各コンピュータの画像撮影用カメラで撮影された画像データを受信する受信手段と、
前記各コンピュータの前記画像撮影用カメラで撮影された画像データを個別認識可能な形式で合成する合成手段と、
前記合成手段で合成された合成画像データを前記サイト管理サーバに送信する送信手段とを有し、
前記サイト用管理サーバは、前記各コンピュータの前記音声集音用マイクで集音した音声データを前記音楽配信用サーバに送信する送信手段１と、
前記各コンピュータの前記画像撮影用カメラで撮影された画像データを前記画像配信用サーバに送信する送信手段２と、
前記音楽配信用サーバから送信された前記音楽データを受信する受信手段１と、
前記画像配信用サーバから送信された画像データとを受信する受信手段２と、
前記音楽配信用サーバから送信された前記音楽データ及び前記音声データと、前記画像配信用サーバから送信された画像データとを識別し、前記音楽データを再生しているコンピュータに対するデータとして、前記音楽データと、自コンピュータ以外の前記画像撮影用カメラで撮影された画像データを合成した合成画像データを生成するとともに、前記音楽データを再生しているコンピュータ以外のコンピュータに対するデータとして、前記音楽データを再生しているコンピュータの前記音声集音用マイクで集音した音声データと前記音楽データとを同期を取って合成した音声データと、自コンピュータ以外のコンピュータの前記音声集音用マイクで集音した音声データと、前記音楽データを再生しているコンピュータの前記画像撮影用カメラで撮影された画像データと前記音楽データとを同期を取って合成した画像データと、自コンピュータ以外のコンピュータの前記画像撮影用カメラで撮影された画像データとを合成した画像データを生成する配信データ生成手段と、
前記配信データ生成手段で振り分けられたデータを前記各コンピュータに送信する送信手段３とを有することを特徴とする音楽コミュニケーションシステム。
【請求項２】
前記サーバ群は、コンテンツサーバを有し、
前記コンテンツサーバは、特定の人の音声・画像コンテンツを記憶するコンテンツ記憶部と、
前記コンテンツ記憶部に記憶されたコンテンツの中で選択されたコンテンツを、前記サイト用管理サーバに送信する送信手段とを有し、
前記音楽配信用サーバの前記第２合成手段は、前記サイト管理用サーバから送信された前記選択された音声コンテンツと、前記各コンピュータの前記音声集音用マイクで集音した音声データとを個別認識可能な形式で合成し、
前記画像配信用サーバの前記合成手段は、前記サイト管理用サーバから送信された前記選択された画像コンテンツと、前記各コンピュータの前記画像撮影用カメラで撮影された画像データとを個別認識可能な形式で合成し、
前記サイト用管理サーバの前記送信手段１は、前記選択された音声コンテンツを前記音楽配信用サーバに送信し、
前記サイト用管理サーバの前記送信手段２は、前記選択された画像コンテンツを前記画像配信用サーバに送信し、
前記サイト用管理サーバの前記配信データ生成手段は、前記音楽配信用サーバから送信された前記音声データと、前記画像配信用サーバから送信された画像データとを識別し、前記各コンピュータに対するデータとして、前記選択された音声コンテンツと、自コンピュータ以外の前記音声集音用マイクで集音した音声データと、前記選択された画像コンテンツと自コンピュータ以外の前記画像撮影用カメラで撮影された画像データとを合成した画像データを生成することを特徴とする請求項１に記載の音楽コミュニケーションシステム。
【発明の詳細な説明】
【技術分野】
【０００１】
本発明は、インターネット上のコミュニケーションサイトを構築する音楽コミュニケーションシステムに係り、特に、音楽データ（カラオケデータ）やコンテンツデータをコミュニケーションサイトに参加させることにより、実際の会員、あるいは実際の会員以外もコミュニケーションに参加させるようにした音楽コミュニケーションシステムに関する。
【背景技術】
【０００２】
従来、インターネット上でカラオケデータを使用する方法としては、一般に、音楽データ（カラオケデータ）を、コンピュータ（以下、単に、ＰＣという）ダウンロードして購入する方法が知られている。
【発明の開示】
【発明が解決しようとする課題】
【０００３】
しかしながら、前述の方法によれば、カラオケデータをＰＣにダウンロードしているため、ＰＣの前に実在する個人、もしくはメンバーで利用するのみで、インターネットを介してコミュニケーションをとっている会員と共有利用することが出来ないという問題があった。
本発明は、前記従来技術の問題点を解決するためになされたものであり、本発明の目的は、インターネットを通じてコミュニケーションをとっている相手と音楽データ、コンテンツを共有利用することが可能となる技術を提供することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
（１）複数のコンピュータが、インターネットを介してサーバ群に接続される音楽コミュニケーションシステムであって、前記サーバ群は、音楽配信用サーバ、画像配信用サーバ、およびサイト管理用サーバを有し、前記各コンピュータは、画像撮影用のカメラと、音声集音用のマイクと、前記画像撮影用カメラで撮影した画像データを前記サイト管理用サーバに送信する送信手段１と、前記音声集音用マイクで集音した音声データを前記サイト管理用サーバに送信する送信手段２と、前記サイト管理用サーバから送信された音声データを受信する受信手段１と、前記サイト管理用サーバから送信された画像データを受信する受信手段２と、前記サイト管理用サーバから送信された音声データを再生する音声出力手段と、前記サイト管理用サーバから送信された画像データを表示する画像データ出力表示手段とを有し、前記音楽配信用サーバは、音楽データを記憶する音楽データ記憶部と、前記サイト管理用サーバから送信された前記各コンピュータの前記音声集音用マイクで集音された音声データを受信する受信手段と、前記音楽データを再生しているコンピュータの前記音声集音用マイクで集音した音声データと前記音楽データとを同期を取って合成する第１合成手段と、前記第１合成手段で合成された音声データと、前記音楽データを再生しているコンピュータ以外のコンピュータの前記音声集音用マイクで集音した音声データとを個別認識可能な形式で合成する第２合成手段と、前記音楽データと、前記第２合成手段で合成された音声データとを前記サイト管理用サーバに送信する送信手段とを有し、前記画像配信用サーバは、前記サイト管理用サーバから送信された前記各コンピュータの画像撮影用カメラで撮影された画像データを受信する受信手段と、前記各コンピュータの前記画像撮影用カメラで撮影された画像データを個別認識可能な形式で合成する合成手段と、前記合成手段で合成された合成画像データを前記サイト管理サーバに送信する送信手段とを有し、前記サイト用管理サーバは、前記各コンピュータの前記音声集音用マイクで集音した音声データを前記音楽配信用サーバに送信する送信手段１と、前記各コンピュータの前記画像撮影用カメラで撮影された画像データを前記画像配信用サーバに送信する送信手段２と、前記音楽配信用サーバから送信された前記音楽データを受信する受信手段１と、前記画像配信用サーバから送信された画像データとを受信する受信手段２と、前記音楽配信用サーバから送信された前記音楽データ及び前記音声データと、前記画像配信用サーバから送信された画像データとを識別し、前記音楽データを再生しているコンピュータに対するデータとして、前記音楽データと、自コンピュータ以外の前記画像撮影用カメラで撮影された画像データを合成した合成画像データを生成するとともに、前記音楽データを再生しているコンピュータ以外のコンピュータに対するデータとして、前記音楽データを再生しているコンピュータの前記音声集音用マイクで集音した音声データと前記音楽データとを同期を取って合成した音声データと、自コンピュータ以外のコンピュータの前記音声集音用マイクで集音した音声データと、前記音楽データを再生しているコンピュータの前記画像撮影用カメラで撮影された画像データと前記音楽データとを同期を取って合成した画像データと、自コンピュータ以外のコンピュータの前記画像撮影用カメラで撮影された画像データとを合成した画像データを生成する配信データ生成手段と、前記配信データ生成手段で振り分けられたデータを前記各コンピュータに送信する送信手段３とを有することを特徴とする。
【０００５】
（２）（１）において、前記サーバ群は、コンテンツサーバを有し、前記コンテンツサーバは、特定の人の音声・画像コンテンツを記憶するコンテンツ記憶部と、前記コンテンツ記憶部に記憶されたコンテンツの中で選択されたコンテンツを、前記サイト用管理サーバに送信する送信手段とを有し、前記音楽配信用サーバの前記第２合成手段は、前記サイト管理用サーバから送信された前記選択された音声コンテンツと、前記各コンピュータの前記音声集音用マイクで集音した音声データとを個別認識可能な形式で合成し、前記画像配信用サーバの前記合成手段は、前記サイト管理用サーバから送信された前記選択された画像コンテンツと、前記各コンピュータの前記画像撮影用カメラで撮影された画像データとを個別認識可能な形式で合成し、前記サイト用管理サーバの前記送信手段１は、前記選択された音声コンテンツを前記音楽配信用サーバに送信し、前記サイト用管理サーバの前記送信手段２は、前記選択された画像コンテンツを前記画像配信用サーバに送信し、前記サイト用管理サーバの前記配信データ生成手段は、前記音楽配信用サーバから送信された前記音声データと、前記画像配信用サーバから送信された画像データとを識別し、前記各コンピュータに対するデータとして、前記選択された音声コンテンツと、自コンピュータ以外の前記音声集音用マイクで集音した音声データと、前記選択された画像コンテンツと自コンピュータ以外の前記画像撮影用カメラで撮影された画像データとを合成した画像データを生成する。
【発明の効果】
【０００６】
本願において開示される発明のうち代表的なものによって得られる効果を簡単に説明すれば、下記の通りである。
本発明によれば、インターネットを通じてコミュニケーションをとっている相手と音楽データ、コンテンツデータを共有利用することが可能となる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
図１は、本発明の実施例の音楽コミュニケーションシステムにおけるサーバ群の概略構成を示すブロック図である。
同図において、１０１は音楽配信用サーバ、１０２は画像配信用サーバ、１０３はサイト管理用サーバ、１０４はコンテンツサーバ、１０５はインターネット接続用装置、１０６はインターネット接続用通信回線である。
ここで、音楽配信用サーバ１０１は、送信手段１１１と、受信手段１１２と、合成手段１１３と、音楽データ（カラオケデータ）を格納している音楽データ記憶部１１４とを有する。
また、画像配信用サーバ１０２は、送信手段１２１と、受信手段１２２と、合成手段１２３とを有する。
また、サイト管理用サーバ１０３は、送信手段（１３１，１３４）と、受信手段（１１２，１３５）と、配信データ生成手段１３４とを有する。
さらに、コンテンツサーバ１０４は、送信手段１４１と、仮想的な人物や有名芸能人などの音声・画像コンテンツを格納しているコンテンツ記憶部１４２とを有する。
【０００８】
図２は、本実施例の音楽コミュニケーションシステムのネットワーク構成を示す図である。
同図において、２０１はコミュニティに参加するＰＣ、２０２はＰＣが接続するインターネット回線、２０３はインターネット網、２０４はインターネット網とインターネット接続装置（図１の１０５）とをつなぐ通信回線、２０５はサーバ群（図１のサーバ群）を示す。
図３は、本実施例の音楽コミュニケーションシステムのＰＣの概略構成を示すブロック図である。
同図において、３０１はＰＣとインターネット回線を接続するインターネット接続用通信回線、３０２はＰＣ本体、３０３はディスプレイ表示装置、３０４は音声出力装置、３０５は画像撮影用カメラ、３０６は音声集音用マイク、３１０は送信手段、３１１は受信手段である。
【０００９】
図４は、本実施例の音楽コミュニケーションシステムにおけるデータ配信経路を示す図である。
同図において、４０１は、音楽データ（カラオケデータ）を選択した歌唱ＰＣ、４０４は、その他の鑑賞ＰＣ、４０７はサイト管理用サーバ、４０８は音楽配信用サーバ、４１０は画像配信用サーバである。
４０２は、歌唱ＰＣ（４０１）において集音、撮影した音声・画像データで、再生しているカラオケデータのタイムスタンプが付与されたデータとなっている。
４０３は、歌唱ＰＣ（４０１）へ送信されてくる音声・画像データで、その他の鑑賞ＰＣ（４０４）からの画像データと音楽配信用サーバ（４０８）からの音楽データである。
４０５は、その他の鑑賞ＰＣ（４０４）で集音・撮影した音声・画像データである。
４０６は、その他の鑑賞ＰＣ（４０４）へ送られてくる音声・画像データで、歌唱ＰＣ（４０１）で集音された音声と撮影された画像が音楽データと同期を取られた形式で送信される。
４０９は、音楽配信用サーバ４０８から歌唱ＰＣ（４０１）へ配信する音楽データと、ＰＣ（４０１，４０４）から送られてくる音声データと、その他の鑑賞ＰＣ（４０４）へ配信する音声データである。
４１１は、画像配信用サーバ４１０からＰＣ（４０１，４０４）へ送信する画像データと、ＰＣ（４０１，４０４）から送信されてくる画像データである。
【００１０】
図５は、本実施例の音楽コミュニケーションシステムにおけるコンテンツデータ配信経路を示す図である。
同において、５０１はＰＣ、５０４はサイト管理用サーバ、５０５はコンテンツサーバである。
また、５０２は、ＰＣ（５０１）により集音・撮影された音声・画像データ、５０３はＰＣ（５０１）から受信した画像データと音声データに、コンテンツサーバ（５０５）からの画像データと音声データを合成したデータ、５０６はコンテンツサーバから配信されるコンテンツの音声・画像データを示す。
【００１１】
図６は、本実施例のコミュニケーションシステムにおいて、音楽データをＰＣに配信する場合の処理手順を説明するためのフローチャートである。
図７は、本実施例のコミュニケーションシステムにおいて、サイト管理用サーバでのデータ配信の処理手順を説明するためのフローチャートである。
次に、図１〜７を用いて、本実施例の音楽コミュニケーションシステムの動作について説明する。
先ず、本実施例の音楽コミュニケーションシステムを利用するための条件として、インターネット、および、同等の通信システムを持ったネットワークに接続できる機器が必要とされる。
この機器は、図３に示すような構成を必要としており、この構成を満たしていれば、ＰＣでなくとも専用機器でもよい。接続ネットワークは、図２に示すようなインターネット回線を利用することが前提ではあるが、多数のＰＣと図１で示すようなサーバ構成の設備に接続できる双方向通信網を前提としている。
次に、利用手順であるが、音楽を選択し歌う側のＰＣ（以下、歌唱ＰＣ）と、それを見る側（鑑賞ＰＣ）とに分けて説明する。なお、図４のデータ配信経路では、４０１が歌唱ＰＣである。
図６のステップ６０１において、コミュニケーションサイト上から任意な音楽データを選択し再生予約を行う。このとき、別のＰＣから先に何らかの音楽データの再生予約が入っている場合、それらの再生が終了するまで順番待ちとなり、画面上に待ち数などの情報が表示される。
ステップ６０２において、歌唱ＰＣ（図４の４０１）には、音楽配信用サーバ（図４の４０８）から、音楽データ記憶部（図１の１１４）から読み出した音楽データが送信されてくるので、歌唱ＰＣ（図４の４０１）では、それに合わせて、音声集音用マイク（図３の３０６）に向かい歌唱する。それと同時に、画像撮影用カメラ（図３の３０５）で画像を撮影する。
【００１２】
ステップ６０３において、集音した音声と撮影画像に再生した音楽データのタイムスタンプを組合わせてサイト管理用サーバ（図４の４０７）に送信する。図４の４０２がそのデータを表す。
ステップ６０４において、観賞ＰＣから随時送信されてくる音声・画像データ４０５をサイト管理用サーバにて受信する。
ステップ６０５において、サイト管理用サーバから音声データを音楽配信用サーバへ、画像データを画像配信用サーバ（図４の４１０）へ送信する。
ステップ６０６において、音声配信用サーバ上で、歌唱ＰＣから送信されてきた音声データと音楽データとを、音声データと同時に送信されているタイムスタンプと、音楽配信用サーバから送信した音楽データのタイムスタンプと同期を取りながら合成する。
合成された音楽データを元に、画像配信用サーバで受信した画像データのタイムスタンプと同期を取りながら、サイト管理用サーバにおいて、合成された音楽データと画像データを合成する。
鑑賞ＰＣ（図４の４０４）では、音声集音用マイクで集音した音声データと、画像撮影用カメラ撮影した画像データとを、随時データ４０５として、サイト管理用サーバへ配信し、サイト管理用サーバでは、ステップ６０５において、他情報と合わせて処理を行う。
ステップ６０７において、歌唱ＰＣと、鑑賞ＰＣとに、音声データ・画像データを送信する。
歌唱ＰＣでは、音声データは音楽データのみ送信されてくるが、画像は各ＰＣからの画像データ４０３がリアルタイムで送信される。
【００１３】
以下、前述の処理について、サイト管理用サーバ、音楽配信用サーバ、画像配信用サーバ毎にさらに詳細に説明する。
（１）音楽配信用サーバでの処理
音楽配信用サーバの合成手段（図１の１１３）は、歌唱ＰＣから送信された、音声集音用マイクで集音された音声データには、タイムスタンプが付与されているので、そのタイムスタンプと、先に歌唱ＰＣで選択した音楽データ（カラオケデータ）のタイムスタンプとを元に、歌唱ＰＣの音声集音用マイクで集音された音声データと、音楽データとを合成する。
また、音楽配信用サーバは、各鑑賞ＰＣから送信された、音声集音用マイクで集音された音声データを個別認識出来る形式に変換する。
そして、音楽データに合わせて合成された歌唱ＰＣからの音声データと、鑑賞ＰＣからの音声データを個別認識可能な形式で合成し、サイト管理用サーバに送信する。
（２）画像配信用サーバでの処理
画像配信用サーバの合成手段（図１の１２３）は、歌唱ＰＣから送信された画像データと鑑賞ＰＣから送信された画像データを個別認識可能な形式で合成し、サイト管理用サーバに送信する。
（３）サイト管理用サーバでの処理
サイト管理用サーバは、音楽配信用サーバと画像配信用サーバとから送信されてきたデータを識別し、歌唱ＰＣに送信するデータ、各鑑賞ＰＣに送信するデータに振り分ける。
例えば、歌唱ＰＣの場合、サイト管理用サーバは、各鑑賞ＰＣから送信された画像データを合成し、当該合成データと音楽データ（カラオケデータ）を歌唱ＰＣに送信する。
また、鑑賞ＰＣの場合、サイト管理用サーバは、歌唱ＰＣからの音声データと音楽データとを同期を取って合成した音声データと、他のＰＣの音声集音用マイクで集音した音声データとを鑑賞ＰＣに送信する。さらに、歌唱ＰＣの画像撮影用カメラで撮影された画像データと音楽データとを同期を取って合成した画像データと、他のＰＣの画像撮影用カメラで撮影された画像データとを合成し、当該合成した画像データを鑑賞ＰＣに送信する。
【００１４】
図６のステップ６０７の処理を詳細に示したフローチャートが図７である。
ステップ７０１において、サイト管理用サーバは、音楽配信用サーバ、画像配信用サーバから、音楽データ、歌唱ＰＣからの音声と音楽データを合成したデータ、及び、音楽データのタイムスタンプに合わせた歌唱ＰＣからの画像データ及び、鑑賞ＰＣからの音声・画像データを受け取る。
そして、ステップ７０２において、歌唱ＰＣへのデータ送信の場合、ステップ７０１で受け取ったデータを識別し、ステップ７０５において、各鑑賞ＰＣから送信された画像データを合成し、ステップ７０６において、当該合成データと音楽データ（カラオケデータ）を歌唱ＰＣに送信する。
また、ステップ７０２において、鑑賞ＰＣへのデータ送信の場合、ステップ７０１で受け取ったデータを識別し、ステップ７０３において、各鑑賞ＰＣから送信された画像データを合成し、ステップ７０４において、歌唱ＰＣの画像撮影用カメラで撮影された画像データと音楽データとを同期を取って合成した画像データと、他のＰＣの画像撮影用カメラで撮影された画像データとを合成した画像データと、歌唱ＰＣからの音声データと音楽データとを同期を取って合成した音声データと、他のＰＣの音声集音用マイクで集音した音声データとを鑑賞ＰＣに送信する。
【００１５】
次に、ＰＣからコンテンツサーバ（図５の５０５）のコンテンツ記憶部（図１の１４２）に記憶されているコンテンツデータが選択された場合について説明する。
ＰＣからコンテンツサーバのコンテンツ記憶部に記憶されているコンテンツデータが選択された場合、先ず、コンテンツサーバからコンテンツをサイト管理用サーバに送信し、前述の歌唱ＰＣからのデータとして取り扱い、ステップ６０５の処理を行う。
これにより、歌唱ＰＣとして、コンテンツサーバ上のコンテンツがコミュニケーションサイト内に存在しているかのように振舞う。
この場合、音楽配信用サーバ、画像配信用サーバでは以下の処理を行う。
（１）音楽配信用サーバでの処理
音楽配信用サーバの合成手段は、コンテンツサーバから送信されたコンテンツ（音声データ）と、各ＰＣから送信された、音声集音用マイクで集音された音声データとを個別認識可能な形式で合成し、サイト管理用サーバに送信する。
（２）画像配信用サーバでの処理
画像配信用サーバの合成手段は、コンテンツサーバから送信されたコンテンツ（画像データ）と、各ＰＣから送信された画像データを個別認識可能な形式で合成し、サイト管理用サーバに送信する。
また、コンテンツサーバからコンテンツをサイト管理用サーバに送信し、鑑賞ＰＣからのデータとして取り扱い、ステップ６０４の処理を行う。
これにより、コンテンツサーバ上のコンテンツがコミュニケーションサイト内に存在しているかのような状態を実現することができる。
【００１６】
以上説明したように、本実施例によれば、インターネットを介して複数のＰＣ間で、音楽配信用サーバから送信されてくる音楽に合わせて歌唱し、また、コンテンツサーバからの音声・画像などのコンテンツデータを合成し、双方向にデータの交換を行うことができる。
これにより、ネット上の友人や趣味が同じ者同士などでのカラオケが気軽に楽しむことができる。また、コンテンツを選択することで、本物の歌手と競演出来たり、架空の人物（キャラクター）と遊ぶことができる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１７】
【図１】本発明の実施例の音楽コミュニケーションシステムにおけるサーバ群の概略構成を示すブロック図である。
【図２】本発明の実施例の音楽コミュニケーションシステムのネットワーク構成を示す図である。
【図３】本発明の実施例の音楽コミュニケーションシステムのＰＣの概略構成を示すブロック図である。
【図４】本発明の実施例の音楽コミュニケーションシステムにおけるデータ配信経路を示す図である。
【図５】本発明の実施例の音楽コミュニケーションシステムにおけるコンテンツデータ配信経路を示す図である。
【図６】本発明の実施例のコミュニケーションシステムにおいて、音楽データをＰＣに配信する場合の処理手順を説明するためのフローチャートである。
【図７】本発明の実施例のコミュニケーションシステムにおいて、サイト管理用サーバでのデータ配信の処理手順を説明するためのフローチャートである。
【符号の説明】
【００１８】
１０１，４０８  音楽配信用サーバ
１０２，４１０  画像配信用サーバ
１０３，４０７，５０４  サイト管理用サーバ
１０４，５０５  コンテンツサーバ
１０５  インターネット接続用装置
１０６，２０４、３０１  インターネット接続用通信回線
１１１，１２１，１３１，１３４，１４１，３１０  送信手段
１１２，１２２，１１２，１３５，３１１  受信手段
１１３，１２３  合成手段
１１４  音楽データ記憶部
１３４  配信データ生成手段
１４２  コンテンツ記憶部
２０１，３０１，５０１  コンピュータ（ＰＣ）
２０２  インターネット回線
２０３  インターネット網
２０５  サーバ群
３０３  ディスプレイ表示装置
３０４  音声出力装置
３０５  画像撮影用カメラ
３０６  音声集音用マイク
４０１  歌唱コンピュータ
４０２  歌唱コンピュータにおいて集音、撮影した音声・画像データ
４０３  歌唱コンピュータへ送信されてくる音声・画像データ
４０４  鑑賞コンピュータ
４０５  鑑賞コンピュータで集音・撮影した音声・画像データ
４０６  鑑賞コンピュータへ送られてくる音声・画像データ
４０９  音楽配信用サーバから歌唱コンピュータへ配信する音楽データと、コンピュータから送られてくる音声データと、鑑賞コンピュータへ配信する音声データ
４１１  画像配信用サーバからコンピュータへ送信する画像データと、コンピュータから送信されてくる画像データ
５０２  コンピュータにより集音・撮影された音声・画像データ
５０３  コンピュータから受信した画像データと音声データに、コンテンツサーバからの画像データと音声データを合成したデータ
５０６  コンテンツサーバから配信されるコンテンツの音声・画像データ
【図１】
2008292875.tif 000003
【図２】
2008292875.tif 000004
【図３】
2008292875.tif 000005
【図４】
2008292875.tif 000006
【図５】
2008292875.tif 000007
【図６】
2008292875.tif 000008
【図７】
2008292875.tif 000009